(57)【要約】      （修正有）【課題】家庭、病院等の寝台で仰臥している人が読書のための書物の保持を簡便にすることができる寝台用読書装置を提供する。【解決手段】寝台サイドテーブル１５に器具１を取り付け、器具の差し込み孔２に脱着可能なベース３の中心棒５を取り付け、ベース３に差し込みベース４を蝶番６でつなぎ、ベース４に複数の差し込み穴８，９を設け、差し込み穴に回転可能な複数の支え棒１０、１１を挿入し、支え棒１０，１１は伸縮可能な三角形状の支え棒１４を有し、支え棒１４の三角形状底辺部に書物読書器具を懸架する。【選択図】図１
0003188835.tif 000002
【実用新案登録請求の範囲】
【請求項１】
寝台サイドテーブルに器具を取り付け、器具の差し込み孔に脱着可能なベースの中心棒を取り付け、ベースと差し込みベースを蝶番でつなぎ、差し込みベースに複数の差し込み穴を設け、差し込み穴に回転可能な複数の支え棒を挿入し、支え棒は伸縮可能な三角形状の支え棒を有し、支え棒の三角形状底辺部に書物読書器具を設けた事を特徴とする寝台用読書装置。
【考案の詳細な説明】
【技術分野】
【０００１】
この考案は家庭、病院等の寝台で仰臥している人が読書やタブレットでの閲覧のための器具に関する。
【背景技術】
【０００２】
従来、家庭、病院等で読書をしようとすると仰臥状態では、手で書物を支えるか、半身起き上がり寝台サイドテーブルに書物を置き読書するか、既市販の寝台専用取り付けの固定スタンド式で、商品名：読書スタンド（床立ベッド用）、商品名：読書スタンド（敷布団差し込み用）等があるが、寝台交代、寝台移動時には、簡単に取り外し、取り付け、携帯移動ができず困難をきたしていた。特許文献1には寝台用のテレビと検鏡できる寝台用書架装置が開示されているが、このものではテレビと兼用できる構造のため，病院によってはテレビをレンタルの場合が多く、これを兼用して用いると重たい書籍を載せると取り付けネジが壊れたりアームが変形するなどの問題があった。
【先行技術文献】
【特許文献】
【０００３】
【特許文献１】実用新案登録３１７２１４９号公報
【考案の概要】
【考案が解決しようとする課題】
【０００４】
本考案は従来のテレビ台兼用の読書装置とは異なり、専用の寝台サイドテーブルに取り付けて、読書を行うための寝台用読書装置を提供することにある。
【課題を解決するための手段】
【０００５】
本考案は
（１）寝台サイドテーブル１５に器具１を取り付け、器具１の差し込み孔２に脱着可能なベース３の中心棒５を取り付け、ベース３に差し込みベース４を蝶番６でつなぎ、ベース４に複数の差し込み穴８，９を設け、差し込み穴８，９に回転可能な複数の支え棒１０、１１を挿入し、支え棒１０，１１は伸縮可能な三角形状の支え棒１４を有し、支え棒１４の三角形状底辺部に懸架する書物読書器具１６を設けた事を特徴とする寝台用読書装置。
である。
【０００６】
本考案の書物読書器具の取り付け器具は寝台サイドテーブル１５に取り付ける。取り付け器具１の差し込み孔２に差し込み、ベース３の中心に心棒５を取り付ける。
ベースとなる３，４、の部材は、木、金属、プラスチック、カーボン、その他の材料で形も角形、丸形、台形、その他の形でベースの中心材として使用できるものが好ましい。取り付け器具１の差し込み孔２にベース３の心棒５を差し込むが、ベース３の心棒５は差し込み孔２とは着脱可能とする。用いるサイドテーブルは一般市販のサイドテーブルを用いることができるが、固定用の器具をクランプ等で固定できる構造のものであることが好ましい。取り付け器具１とベース３、ベース４、と支え棒１０、支え棒１１、支え棒１４は常時取り付け器具１の差し込み孔２より着脱することができる構造であり、支え棒は例えば図2に示すようなベース３とベース４を蝶番６でつなぎ、ベース４の反対面に二つの孔８、孔９を設け、支え棒１０、支え棒１１の一端を孔８、孔９に差し込んで肯定する構造が好ましい。支え棒は直径が０．５〜３ｃｍが好ましく、中実又は中空の構造である。支え棒の先端は中空構造であることが必要であり、この中空部分に逆三角形状の書物読書器具懸架用支え棒を支え棒に２ヶ所差し込んで固定する。この場合、書物読書器具懸架用支え棒１４が支え棒１０，１１の中空部分に差し込まれる構造のため、ベッドに横臥した人と書物読書器具との距離を調節することができる。書物読書器具懸架用支え棒１４は直径が０．２〜４．５ｃｍの丸棒が好ましい。書物読書器具懸架用支え棒１４の先端に読書懸架器具１６を懸架する。支え棒の材質は、金属棒、プラスチック、木、カーボン等を用いることができる。ベース３とベース４との間の蝶番は横臥者が診察などの時面前より、前方に倒し、胸元に広い空間を設けるためのものである。書物読書器具１６は例えば実用新案登録第３１７２１４９号に開示されたものを用いることが好ましい。
【０００７】
支え棒１０、支え棒１１はベース４の孔８、孔９に差し込むが、差し込んだ後の立ち上がり部分よりわずかな曲り角度７をつける。曲がり角度は６０〜８０度が好ましい。角度の曲げは角度調節機能を持たせることも考えられるが、書物読書器具１６を懸架したときに、使用者の面前に適度な位置に懸架出来るようにする為である。
支え棒の試作の段階では支え棒の全体型をT型，□型  楕円型、二等辺三角形型と試したが、耐重量、バランス、取扱い簡易さ、等を勘案して、本考案の二等辺三角形型が、書物読書器具１６を懸架したときに最も安定性があるとして、二等辺三角形型が好ましい。
【考案の効果】
【０００８】
寝台用読書装置は寝台サイドテーブルに簡単に取り付け、取り外しでき、必要なときには顔面近くに書物読書器具を配置して，読書することが出来、診察などの時には簡単に胸元に広い空間を確保できる寝台用読書懸架器具を提供することが出来る。
【図面の簡単な説明】
【０００９】
【図１】本考案の平面図
【図２】本考案の側面図
【図３】本考案をベッドに適用した使用状態図
【考案を実施するための形態】
【００１０】
以下、本考案を実施するための形態について説明する。
ベッド高さ４５ｃｍの寝台に高さ７０ｃｍのサイドテーブルを用い、クランプにて直径が５ｃｍの略円筒形状のステンレス製ベースを固定する。ベース３とベース4は蝶番にて固定する。ベース３とベース４はどちらも円筒形状とする。ベース４に直径が１ｃｍで深さが１ｃｍの丸穴を設け、これに直径が約１ｃｍ，長さが５０ｃｍの丸棒を先端から２ｃｍのところで約７５度に曲げた。丸棒の先端には直径０．７ｃｍの中空を設け、これに約０．７ｃｍの書物読書器具懸架用支え棒を図１のようにベース穴８と９に差し込み固定した。書物読書器具懸架用支え棒の先端部分は約３０ｃｍとした。ここで用いたクランプは机等に取り付け固定するのに電気スタンド使用様の取り付け器具を転用した。  
【００１１】
この書物読書懸架器具は実用新案登録３１７２１４９号公報記載のものを用いた。
これを用いることにより横臥時に適切な位置に読書すべき書物や場合によってｉＰａｄや携帯電話のような情報機器端末を設置することが可能となる。さらに、小型の液晶テレビを設置することも可能であり、読書のみならず、情報検索、，テレビ鑑賞まで幅広く活用することが可能となる。
【産業上の利用可能性】
【００１２】
本考案は寝台用読書装置と称するように家庭、病院等で仰臥している人が、映像機器情報による受動的情報だけでなく、書物を読むという能動的積極性をもっての知的吸収を、多くの境遇者が望んでいると思い、書物を手で支えるという負担から解放され、また簡便に取り外し、取り付けでき，携帯性と移動性あることは、長時間の寝台生活、寝台移動者にとっては、時間の有効ある利用ができる。本考案、寝台用読書装置は非常に社会に有用な考案である。
【符号の説明】
【００１３】
１    サイドテーブル取り付け器具
２    心棒差し込み孔
３    ベース
４    ベース
５    心棒
６    蝶番
７    支え棒の曲げ部
８    ベース４に開けた孔
９    ベース４に開けた孔
１０  支え棒
１１  支え棒
１２  支え棒１４の先端で支え棒１０、の先端に差し込む部
１３  支え棒１４の先端で、支え棒１１の先端に差し込む部
１４  書物読書器具を懸架する支え棒部
１５  寝台用読書装置を取り付けるためのサイドテーブル
１６  書物読書器具
【図１】
0003188835.tif 000003
【図２】
0003188835.tif 000004
【図３】
0003188835.tif 000005
【手続補正書】
【提出日】平成25年11月26日(2013.11.26)
【手続補正１】
【補正対象書類名】実用新案登録請求の範囲
【補正対象項目名】全文
【補正方法】変更
【補正の内容】
【実用新案登録請求の範囲】
【請求項１】
寝台サイドテーブルに器具を取り付け、器具の差し込み孔に脱着可能なベースの中心棒
を取り付け、ベースと差し込みベースを蝶番でつなぎ、差し込みベースに複数の差し込み
穴を設け、差し込み穴に回転可能な複数の第一の支え棒を挿入し、前記第一の支え棒に伸縮可能な三角形状の第二の支え棒を差し込み、前記第二の支え棒の、支え棒の三角形状底辺部に書物が設置される器具を設けた事を特徴とする寝台用読書装置
【手続補正２】
【補正対象書類名】明細書
【補正対象項目名】全文
【補正方法】変更
【補正の内容】
【考案の詳細な説明】
【技術分野】
【０００１】
この考案は家庭、病院等の寝台で仰臥している人が読書やタブレットでの閲覧のための器
具に関する。
【背景技術】
【０００２】
従来、家庭、病院等で読書をしようとすると仰臥状態では、手で書物を支えるか、半身起
き上がり寝台サイドテーブルに書物を置き読書するか、既市販の寝台専用取り付けの固定
スタンド式で、商品名：読書スタンド（床立ベッド用）、商品名：読書スタンド（敷布団
差し込み用）等があるが、寝台交代、寝台移動時には、簡単に取り外し、取り付け、携帯
移動ができず困難をきたしていた。特許文献1には寝台用のテレビと検鏡できる寝台用書
架装置が開示されているが、このものではテレビと兼用できる構造のため，病院によって
はテレビをレンタルの場合が多く、これを兼用して用いると重たい書籍を載せると取り付
けネジが壊れたり、アームが変形するなどの問題があった。
【先行技術文献】
【特許文献】
【０００３】
【特許文献１】実用新案登録３１７２１４９号公報
【考案の概要】
【考案が解決しようとする課題】
【０００４】
本考案は従来のテレビ台兼用の読書装置とは異なり、専用の寝台サイドテーブルに取り付
けて、読書を行うための寝台用読書装置を提供することにある。
【課題を解決するための手段】
【０００５】
本考案は
（１）寝台サイドテーブル１５に器具１を取り付け、器具１の差し込み孔２に脱着可能な
ベース３の中心棒５を取り付け、ベース３に差し込みベース４を蝶番６でつなぎ、ベース
４に複数の差し込み穴８，９を設け、差し込み穴８，９に回転可能な複数の支え棒１０、
１１を挿入し、支え棒１０，１１は伸縮可能な三角形状の支え棒１４を有し、支え棒１４
の三角形状底辺部に懸架する書物が設置される器具１６を設けた事を特徴とする寝台用読書装置である。
【０００６】
本考案の書物が設置される器具の取り付け器具は寝台サイドテーブル１５に取り付ける。取り付け器具１の差し込み孔２に差し込み、ベース３の中心に心棒５を取り付ける。
ベースとなる３，４、の部材は、木、金属、プラスチック、カーボン、その他の材料で形
も角形、丸形、台形、その他の形でベースの中心材として使用できるものが好ましい。取
り付け器具１の差し込み孔２にベース３の心棒５を差し込むが、ベース３の心棒５は差し
込み孔２とは着脱可能とする。用いるサイドテーブルは一般市販のサイドテーブルを用い
ることができるが、固定用の器具をクランプ等で固定できる構造のものであることが好ま
しい。取り付け器具１とベース３、ベース４、と支え棒１０、支え棒１１、支え棒１４は
常時取り付け器具１の差し込み孔２より着脱することができる構造であり、支え棒は例え
ば図2に示すようなベース３とベース４を蝶番６でつなぎ、ベース４の反対面に二つの孔
８、孔９を設け、支え棒１０、支え棒１１の一端を孔８、孔９に差し込んで肯定する構造
が好ましい。支え棒は直径が０．５〜３ｃｍが好ましく、中実又は中空の構造である。支
え棒の先端は中空構造であることが必要であり、この中空部分に逆三角形状の書物が設置される器具懸架用支え棒を支え棒に２ヶ所差し込んで固定する。この場合、書物が設置される器具懸架用支え棒１４が支え棒１０，１１の中空部分に差し込まれる構造のため、ベッドに仰臥した人と書物が設置される器具との距離を調節することができる。書物が設置される器具懸架用支え棒１４は直径が０．２〜４．５ｃｍの丸棒が好ましい。書物が設置される器具懸架用支え棒１４の先端に書物が設置される器具１６を懸架する。支え棒の材質は、金属棒、プラスチック、木、カーボン等を用い
ることができる。ベース３とベース４との間の蝶番は仰臥者が診察などの時面前より、前
方に倒し、胸元に広い空間を設けるためのものである。書物が設置される器具１６は例えば実用新案登録第３１７２１４９号に開示されたものを用いることが好ましい。
【０００７】
支え棒１０、支え棒１１はベース４の孔８、孔９に差し込むが、差し込んだ後の立ち上が
り部分よりわずかな曲り角度７をつける。曲がり角度は６０〜８０度が好ましい。角度の
曲げは角度調節機能を持たせることも考えられるが、書物が設置される器具１６を懸架したときに、使用者の面前に適度な位置に懸架出来るようにする為である。
支え棒の試作の段階では支え棒の全体型をT型，□型  楕円型、二等辺三角形型と試した
が、耐重量、バランス、取扱い簡易さ、等を勘案して、本考案の二等辺三角形型が、書物が設置される器具１６を懸架したときに最も安定性があるとして、二等辺三角形型が好ましい。
【考案の効果】
【０００８】
寝台用読書装置は寝台サイドテーブルに簡単に取り付け、取り外しでき、必要なときには
顔面近くに書物が設置される器具を配置して，読書することが出来、診察などの時には簡単に胸元に広い空間を確保できる寝台用読書懸架器具を提供することが出来る。
【図面の簡単な説明】
【０００９】
【図１】本考案の平面図
【図２】本考案の側面図
【図３】本考案をベッドに適用した使用状態
【考案を実施するための形態】
【００１０】
以下、本考案を実施するための形態について説明する。
ベッド高さ４５ｃｍの寝台に高さ７０ｃｍのサイドテーブルを用い、クランプにて直径が
５ｃｍの略円筒形状のステンレス製ベースを固定する。ベース３とベース4は蝶番にて固
定する。ベース３とベース４はどちらも円筒形状とする。ベース４に直径が１ｃｍで深さ
が１ｃｍの丸穴を設け、これに直径が約１ｃｍ，長さが５０ｃｍの丸棒を先端から２ｃｍ
のところで約７５度に曲げた。丸棒の先端には直径０．７ｃｍの中空を設け、これに約０
．７ｃｍの書物が設置される器具懸架用支え棒を図１のようにベース穴８と９に差し込み固定した。
書物が設置される器具懸架用支え棒の先端部分は約３０ｃｍとした。ここで用いたクランプは机等に取り付け固定するのに電気スタンド使用様の取り付け器具を転用した。  
【００１１】
この書物が設置される器具懸架器具は実用新案登録３１７２１４９号公報記載のものを用いた。
これを用いることにより仰臥時に適切な位置に読書すべき書物や場合によってｉＰａｄ（登録商標）や携帯電話のよう情報機器端末を設置することが可能となる。さらに、小型の液晶テレビを設置することも可能であり、読書のみならず、情報検索、テレビ鑑賞まで幅広く活用することが可能となる
【産業上の利用可能性】
【００１２】
本考案は寝台用読書装置と称するように家庭、病院等で仰臥している人が、映像機器情報
による受動的情報だけでなく、書物を読むという能動的積極性をもっての知的吸収を、多
くの境遇者が望んでいると思い、書物を手で支えるという負担から解放され、また簡便に
取り外し、取り付けでき，携帯性と移動性あることは、長時間の寝台生活、寝台移動者に
とっては、時間の有効ある利用ができる。本考案、寝台用読書装置は非常に社会に有用な
考案である。
【符号の説明】
【００１３】
１    サイドテーブル取り付け器具
２    心棒差し込み孔
３    ベース
４    ベース
５    心棒
６    蝶番
７    支え棒の曲げ部
８    ベース４に開けた孔
９    ベース４に開けた孔
１０  支え棒
１１  支え棒
１２  支え棒１４の先端で支え棒１０、の先端に差し込む部
１３  支え棒１４の先端で、支え棒１１の先端に差し込む部
１４  書物が設置される器具を懸架する支え棒部
１５  寝台用読書装置を取り付けるためのサイドテーブル
１６  書物が設置される器具